(57)【要約】【課題】リモコンキーＩＤが同一でも、その編成チャンネルを個別に選局できるようにする。【解決手段】同一放送地域内（域内）と域外に跨って、リモコンキーＩＤが同一である放送局が存在するかどうかを確認する。同じく域外のみに同じリモコンキーＩＤが付された放送局が存在するかどうかを確認する。リモコンキーＩＤが同じ放送局が存在するときには、その放送局に割り当てられている編成チャンネル番号に対して識別情報としての枝番号を付加してテレビ受像機内に保存する。編成チャンネルを選局するときで、編成チャンネル番号を指定して行うダイレクト選局ではこの枝番号を含めた編成チャンネル番号を指定する。これで、リモコンキーＩＤが同じ、したがってその編成チャンネル番号も同じ放送局であっても、枝番号付きの編成チャンネル番号を使用することで、特定の放送局を選局できる。【選択図】        図７
2004363819.tif 000002
【特許請求の範囲】
【請求項１】
リモートコントロールキー識別番号が同一である複数の地上デジタル放送を受信するに当たり、
上記リモートコントロールキー識別番号に対応する編成チャンネル番号に識別情報を付加して、リモートコントロールキー識別番号が同一であっても異なる編成チャンネル番号とすることで、リモートコントロールキー識別番号が同一である地上デジタル放送を任意に選局できるようにしたことを特徴とする地上デジタル放送の選局方法。
【請求項２】
上記地上デジタル放送の選局は、上記編成チャンネル番号を指定して行うダイレクト選局であることを特徴とする請求項１記載の地上デジタル放送の選局方法。
【請求項３】
上記識別情報は、３桁の編成チャンネル番号の４桁目に付加される枝番号であることを特徴とする請求項１記載の地上デジタル放送の選局方法。
【請求項４】
上記枝番号は、放送地域の地域識別番号を基準にして付加されることを特徴とする請求項３記載の地上デジタル放送の選局方法。
【請求項５】
地上デジタル放送信号をスキャンしてそれぞれの放送局を選局するステップと、
選局した放送局の地上デジタル放送信号に挿入されたリモートコントロールキー識別番号が同一の放送局を判別するステップと、
同一の放送局が存在したときは、当該放送局に設定された編成チャンネル番号に識別情報を付加し、識別情報を付加したこの編成チャンネル番号を新たな編成チャンネル番号として保存するステップとを有することを特徴とする編成チャンネル設定方法。
【請求項６】
上記編成チャンネル番号を設定した後における上記地上デジタル放送の選局は、上記編成チャンネル番号を指定して行うダイレクト選局であることを特徴とする請求項５記載の編成チャンネル設定方法。
【請求項７】
上記識別情報は、３桁の編成チャンネル番号の４桁目に付加される枝番号であることを特徴とする請求項６記載の編成チャンネル設定方法。
【請求項８】
同一のリモートコントロールキー識別番号が付された放送局が全て域外の放送局であるときは、上記放送局に宛われた地域識別番号順に上記識別情報として使用される枝番号を付すステップを有することを特徴とする請求項５記載の編成チャンネル設定方法。
【請求項９】
同一のリモートコントロールキー識別番号が付された放送局が同一放送地域内と同一放送地域外に跨って存在するときには、上記同一放送地域内の編成チャンネル番号に付す識別情報としての枝番号をゼロとし、上記同一放送地域外の編成チャンネル番号に付す上記枝番号は上記同一放送地域外の放送局が存在する地域識別番号順に付すステップを有することを特徴とする請求項５記載の編成チャンネル設定方法。
【請求項１０】
上記識別情報が付加された新たな編成チャンネル番号をチャンネルリストとして表示するステップを有することを特徴とする請求項５記載の編成チャンネル設定方法。
【請求項１１】
地上デジタル放送を受信するチューナと、
選局された地上デジタル放送信号を復調し、復調したデジタル信号を復号するデコーダを有する信号処理部と、
この信号処理部からの映像信号を表示する映像表示部と、
上記チューナおよび信号処理部を制御する制御部と、
この制御部にリモコン信号を送るリモコン信号受信部とを有し、
上記制御部に設けられたメモリ手段には、リモートコントロールキー識別番号が同じである放送局が複数存在するとき、その編成チャンネル番号に異なる識別情報を付加した新たな編成チャンネル番号が格納されていることを特徴とするテレビ受像機。
【請求項１２】
上記地上デジタル放送の選局は、識別情報が付加された新たな上記編成チャンネル番号を指定して行うダイレクト選局であることを特徴とする請求項１１記載のテレビ受像機。
【請求項１３】
上記識別情報は、３桁の編成チャンネル番号の４桁目に付加される枝番号であることを特徴とする請求項１１記載のテレビ受像機。
【発明の詳細な説明】
【０００１】
【発明の属する技術分野】
この発明は、地上デジタル放送における選局方法、編成チャンネル設定方法およびテレビ受像機に関する。
【０００２】
詳しくは、同じリモートコントロールキー識別番号を有する複数の放送局を受信できるときには、それらを識別できる識別情報をその放送局に関する編成チャンネル番号に付加し、この編成チャンネル番号を指定してダイレクトに放送局を選局するときには、識別情報を付加した編成チャンネル番号を指定することで、リモートコントロールキー識別番号が同一である複数の放送局のうち、特定の放送局の地上デジタル放送を受信できるようにしたものである。
【０００３】
【従来の技術】
近々放送開始が予定されている地上デジタル放送（地上波デジタル放送）では、地上デジタル放送を受信できるテレビ受像機を設置するとき、選局チャンネルの設定が行われることになる。この選局チャンネルの設定は自動的に行われるもので、通常は地上デジタル放送信号を受信（スキャン）して、地上デジタル放送信号に挿入されたリモートコントロールキー識別信号（リモコンキーＩＤ）を抽出分離した後、その内容を解読してリモコンキーＩＤに割り当てられたチャンネル選局番号を自動的に割り振るようになっている。この自動割り振りによって、チャンネル選局番号を指定するだけでワンタッチで、希望するチャンネル（放送局）を選局することができるようになる。自動的に割り振られたこのチャンネル選局番号によって放送局をワンタッチで選局できることから、このチャンネル選局番号はワンタッチキー番号と呼ばれる場合がある。
【０００４】
ワンタッチキーへの割り振り、換言すればワンタッチキーへの編成チャンネルの割り振りは放送局側が行う。ここに、編成チャンネルとは、その放送局に与えられた１つの伝送チャンネルで同時に受信できる複数の番組（３つの番組）のそれぞれを区別するために与えられた仮想的なチャンネルのことである。
【０００５】
ワンタッチキー番号には各放送局の代表的な編成チャンネルが割り当てられ、それ以外の編成チャンネルを選局するときには、編成チャンネルごとに指定されている３桁のチャンネル番号（編成チャンネル番号）などを直接指定することになる。そのためワンタッチキーによる選局の他に、例えばリモコンを利用して３桁の番号を指定するダイレクト選局も行えるようになっている。
【０００６】
このようなダイレクト選局を行う場合、従来技術を利用するならば、例えば特許文献１に示すような選局方法を利用することができる。この選局方法を図１３に示す。図１３はリモコン（リモコン装置）を利用して選局した場合の例であって、図示する数字はリモコンキー番号（数字キー）を指す。
【０００７】
まず、リモコンに設けられた「１０キー入力」キーを選択した上で、３桁の編成チャンネル番号（例えば１、２、３のリモコンキー番号）を入力した後、確定キー（例えばリモコンキー番号１２との兼用キー）を押すことで、編成チャンネル番号が「１２３」の編成チャンネルをダイレクト選局できる。
【０００８】
この選局方法の他に、３桁の編成チャンネル番号が押されたら直ちに選局する方法が考えられる。例えば図１４に示すように（１，２，３）を押したとき、３桁目の番号「３」が押されると、直ちにこの３桁の番号（１２３）で指定された編成チャンネルをダイレクトに選局する方法である。
【０００９】
前者の選局方法では、３桁の番号が入力されても直ぐには選局動作が開始せず、しかも確定キーが押されない限り、入力番号が確定しないので（ただし一定時間確定キーが押されないとタイムアウトで確定し選局する）、例えば図１５のように４桁目（例えば番号４）が入力されると、最初に入力した番号「１」が無効となり、（２３４）の編成チャンネル番号が指定されたことになる。そのため、誤った番号（数字）が入力されたときでも、次々に正しい番号を入力し直すことで、正しい編成チャンネル番号に修正した上で編成チャンネルを選局できる。
【００１０】
これに対し、後者の選局方法では、３桁の番号が揃った段階で直ぐに選局動作が行われる。そのため、間違った番号が入力されたときには、一旦そのチャンネルを選局してから、新たに正しい番号を入力するか、３桁の番号が揃う前の段階で、別の手段によって入力した番号を破棄した上で、再度３桁の番号を入力することで希望する放送局を選局することになる。
【００１１】
このようなことを考慮すると、地上デジタル放送でのダイレクト選局は、前者の選局方法が好ましいと言える。
【００１２】
【特許文献１】
特公平６−１０１８２０号公報
【００１３】
【発明が解決しようとする課題】
上述したリモコンキーＩＤとワンタッチキー番号との関係は図１６のようになっている。図１６は放送地域として東京都の場合を示すもので、東京都内の放送局におけるリモコンキーＩＤとワンタッチキー番号との関係を示す。
【００１４】
例えば、ＮＨＫ総合テレビはリモコンキーＩＤが「１」であるので、リモコンのワンタッチキー番号としては番号「１」が自動的に割り当てられる。そして、ＮＨＫ総合テレビの代表編成チャンネル番号として「０１１」の番号が与えられている。この代表的な編成チャンネル番号を以下単に編成チャンネル番号と呼称する。
【００１５】
ＮＨＫ教育テレビのリモコンキーＩＤは「２」であるので、ワンタッチキー番号としては「２」が自動的に割り当てられる。そして、ＮＨＫ教育テレビの編成チャンネル番号は「０２１」である。他の民放も同様にしてそれぞれのリモコンキーＩＤに対する１桁または２桁構成のワンタッチキー番号が自動的に割り当てられる。
【００１６】
したがって上述したように、ワンタッチキー番号として「１」または「２」を指定すると、ＮＨＫ総合テレビあるいはＮＨＫ教育テレビをワンタッチで選局できることになる。
【００１７】
ところで、編成チャンネルを指定するための上述した３桁の選局番号（編成チャンネル番号）は、その地域の放送局によって決められる。リモコンキーＩＤと３桁の編成チャンネル番号との関係は、同じ域内（放送地域内）では重複しないように指定される。例えば、同じ域内例えば東京都では、リモコンキーＩＤ「１」はＮＨＫ総合テレビのみに与えられた識別番号であって、その編成チャンネル番号は「０１１」である。
【００１８】
これに対して、域外の放送局の間ではリモコンキーＩＤが重複する場合があり、同じリモコンキーＩＤであっても、違った放送局が割り当てられている場合が存在する。東京都の場合、隣接する域外としては神奈川県、千葉県および埼玉県などがあり、それぞれにはそれぞれの域内に放送局が存在する。図１６に示すように、現在までのところ「テレビ神奈川」、「千葉テレビ放送」、「テレビ埼玉」などの地上デジタル放送局がある。
【００１９】
これらのリモコンキーＩＤは何れも「３」である。テレビ受像機側では、リモコンキーＩＤと同じ番号をワンタッチキーに割り当てていくが、同じリモコンキーＩＤのものは、空いたワンタッチキーを割り当てていく。その結果、これらリモコンキーＩＤによって割り当てられるワンタッチキー番号は、図１６のようにテレビ神奈川は「３」であり、千葉テレビ放送は「１０」であり、そしてテレビ埼玉は「１１」となる。これに対してそれぞれの放送局に宛われている３桁の編成チャンネル番号は何れも同じ「０３１」である。
【００２０】
この編成チャンネル番号にあって最初の２桁「０３」はその放送局のリモコンキーＩＤを指し、３桁目の番号「１」がその放送局に割り当てられたチャンネル番号（代表チャンネル番号）である。したがって上述の場合には編成チャンネル番号は何れも同じ「０３１」となる。
【００２１】
そのため、これら域外放送局に関してはワンタッチキー番号を使用する限りにおいては希望する放送局を選局できるが、仮にダイレクト選局を行うために３桁の番号「０３１」を入力したときには、希望する放送局を選局できるとは限らない。
【００２２】
このようなダイレクト選局に伴う問題は、他の放送地域でも発生する。例えば、三重県の例を図１７に示す。愛知県内でのＮＨＫおよび民放以外に、域外として５つの民放が存在し、域内と域外に跨って同一リモコンキーＩＤが存在する。域外にも同じリモコンキーＩＤを使用する放送局が存在する。
【００２３】
例えば、域内と域外に跨る例として域内放送局である「中京テレビ放送」と、域外放送局である「毎日放送」は同じリモコンキーＩＤ「４」である。したがってそれぞれの編成チャンネル番号は同じ番号「０４１」である。同様に、域内放送局である「名古屋テレビ放送」と、域外放送局である「朝日放送」は同じリモコンキーＩＤ「６」であるので、それぞれの編成チャンネル番号も同じ番号「０６１」となる。
【００２４】
また、域外放送局同士でも同じリモコンキーＩＤを使用する例があり、例えば図１７のように域外放送局である「讀賣テレビ放送」と、同じく域外放送局である「テレビ愛知」は同じリモコンキーＩＤ「１０」であるので、それぞれの編成チャンネル番号も同じ番号「１０１」となる。
【００２５】
このような関係にあるため、３桁の選局番号を指定してダイレクト選局を行うと、希望する放送局を受信できない場合が発生する。そして、特許文献１に示されるような選局方法を採用した場合でも、それ以外の上述した選局方法を採用した場合でも、ダイレクト選局に関しては同じような問題を惹起する。
【００２６】
そこで、この発明はこのような従来の課題を解決したものであって、特にダイレクト選局を行うとき、同じ編成チャンネル番号が存在したときには、それぞれに異なる枝番号（識別情報としての枝番号）を付加して登録し、この枝番号までを指定することで、ダイレクト選局に伴う弊害を除去できる地上デジタル放送の選局方法、編成チャンネル設定方法およびテレビ受像機を提案するものである。
【００２７】
【課題を解決するための手段】
上述の課題を解決するため、請求項１に記載したこの発明に係る地上デジタル放送の選局方法では、リモートコントロールキー識別番号が同一である複数の地上デジタル放送を受信するに当たり、
上記リモートコントロールキー識別番号に対応する編成チャンネル番号に識別情報を付加して、リモートコントロールキー識別番号が同一であっても異なる編成チャンネル番号とすることで、リモートコントロールキー識別番号が同一である地上デジタル放送を任意に選局できるようにしたことを特徴とする。
【００２８】
また、請求項５に記載したこの発明に係る編成チャンネル設定方法では、地上デジタル放送信号をスキャンしてそれぞれの放送局を選局するステップと、
選局した放送局の地上デジタル放送信号に挿入されたリモートコントロールキー識別番号が同一の放送局を判別するステップと、
同一の放送局が存在したときは、当該放送局に設定された編成チャンネル番号に識別情報を付加し、識別情報を付加したこの編成チャンネル番号を新たな編成チャンネル番号として保存するステップとを有することを特徴とする。
【００２９】
また、請求項１１に記載したこの発明に係るテレビ受像機では、地上デジタル放送を受信するチューナと、
選局された地上デジタル放送信号を復調し、復調したデジタル信号を復号するデコーダを有する信号処理部と、
この信号処理部からの映像信号を表示する映像表示部と、
上記チューナおよび信号処理部を制御する制御部と、
この制御部にリモコン信号を送るリモコン信号受信部とを有し、
上記制御部に設けられたメモリ手段には、リモートコントロールキー識別番号が同じである放送局が複数存在するとき、その編成チャンネル番号に異なる識別情報を付加した新たな編成チャンネル番号が格納されていることを特徴とする。
【００３０】
この発明では、地上デジタル放送をスキャンして同一放送地域内（域内）と域外に跨って、リモコンキーＩＤが同一である放送局が存在するかどうか、を確認する。同じく域外のみに同じリモコンキーＩＤが付された放送局が存在するかどうかを確認する。リモコンキーＩＤが同じ放送局が存在するときには、その放送局に割り当てられている編成チャンネル番号に対して識別情報としての枝番号を付加してテレビ受像機内に保存する。
【００３１】
編成チャンネルを選局するときで、編成チャンネル番号を指定して行うダイレクト選局ではこの枝番号を含めた編成チャンネル番号を指定する。元々の編成チャンネル番号は３桁であり、枝番号が４桁目を構成するので、４桁の番号を指定して編成チャンネルの選局が行われる。これで、リモコンキーＩＤが同じ、したがってその編成チャンネル番号も同じ放送局であっても、枝番号付きの編成チャンネル番号を使用することで、特定の放送局を選局できる。
【００３２】
域内と域外に跨ってリモコンキーＩＤが同じ放送局が存在するときは、域内の枝番号を「０」とし、域外の放送局に対してはその放送局に割り当てられている地域識別番号順に枝番号を例えば「１」から付す。域外のみにリモコンキーＩＤが同じ放送局が存在するときは地域識別番号順に、例えば「１」から枝番号を付す。
【００３３】
このように識別情報を利用して編成チャンネル番号を再設定するような編成チャンネル設定方法を採用することで、重複する編成チャンネル番号があったとしても、任意の放送局を確実に選局できるようになる。編成チャンネル番号が重複するときには、重複する編成チャンネル番号に識別情報を付加し、この識別情報を含めた編成チャンネル番号を用いる選局方法とすることで、希望する放送局を選局できる。
【００３４】
また、編成チャンネル番号が重複する放送局を受信できる場合には、重複する編成チャンネル番号に識別情報を付加した編成チャンネル番号を新たな編成チャンネル番号として登録するメモリ手段をテレビ受像機内に設けておけば、識別情報を含めた編成チャンネル番号を指定することでダイレクトな選局が可能になり、これによって、任意の放送局を選局できる。
【００３５】
【発明の実施の形態】
続いて、この発明に係る地上デジタル放送の選局方法、編成チャンネル設定方法およびテレビ受像機の一実施形態を図面を参照して詳細に説明する。
【００３６】
図１はこの発明に係るテレビ受像機１０の実施の形態を示す要部の系統図である。ＵＨＦアンテナ１２で受信された地上デジタル放送波（ＵＨＦ放送波）はチューナ１４に供給され、このチューナ１４で希望する放送局（地上デジタル放送波）が受信（選局）される。
【００３７】
選局された地上デジタル放送波は信号処理部１６に供給されて、地上デジタル放送波の復調・復号処理が行われる。まず、ＯＦＤＭ復調部１８において、直交周波数分割多重変調（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ）変調）された地上デジタル放送信号が復調され、復調された地上デジタル放送信号は誤り訂正部２０でデジタルデータに対する誤り訂正処理がなされて送信側のストリームデータ（Ｔｒａｎｓｐｏｒｔ  Ｓｔｒｅａｍ（ＴＳ）パケットデータ）に戻される。
【００３８】
その後このストリームデータは多重分離部２２に供給されて、映像パケットデータ、音声パケットデータおよびその他のパケットデータ（電子番組ガイド（ＥＰＧ）データ、リモコンキーＩＤデータ、データ放送用のデータなど）に分離される。そのうちパケットデータは後述するＣＰＵからなる制御部３２に供給される。
【００３９】
また、分離された映像および音声パケットデータはデコーダ２４に供給されて、ＭＰＥＧ２（Ｍｏｖｉｎｇ  Ｐｉｃｔｕｒｅ  Ｅｘｐｅｒｔｓ  Ｇｒｏｕｐ  ２）方式によって圧縮されたパケットデータの伸長および復号処理が行われる。
【００４０】
このように信号処理部１６では受信した地上デジタル放送信号の復調や復号処理が行われ、復号された映像信号は信号合成部２６において、例えばＯＳＤ（Ｏｎ  Ｓｃｒｅｅｎ  Ｄｅｍａｎｄ）部２８によって生成された画面表示用信号が合成され、合成された映像信号が映像表示部３０に供給される。画面表示用信号は電子番組ガイドを表示するための表示用信号、メニュー表示のための表示用信号、編成チャンネル番号の表示用信号などが考えられる。映像表示部３０は液晶などからなる平面表示モニタやＣＲＴモニタなどを使用することができる。
【００４１】
上述したチューナ１４、信号処理部１６、ＯＳＤ部２８などはＣＰＵからなる制御部３２からの制御信号に基づいて制御される。この制御部３２にはＲＡＭなどのメモリ手段３４が設けられ、ここにはこのテレビ受像機１０が受信できる放送局に対するワンタッチキー番号や、その放送局の編成チャンネル番号などのデータが格納されている。編成チャンネル番号には、後述するように新たに設定された枝番号付きの編成チャンネル番号を含むものとする。
【００４２】
制御部３２にはさらにＲＯＭなどのメモリ手段３６が設けられ、ここには受信放送局を設定するための地上デジタル放送波のスキャン処理や、スキャン処理によって得られたリモコンキーＩＤに基づいて、ワンタッチキー番号を割り振ったりする処理プログラム、さらには特定の放送局に宛われた編成チャンネル番号に識別情報を付加する処理プログラムなどが格納されている。
【００４３】
制御部３２はリモコン信号などによって制御される。そのため、この制御部３２にはリモコン受信部３８が設けられ、リモコン受信部３８で受信したチャンネル選局のためのリモコン信号などが供給される。制御部３２は受信したこのリモコン信号を解読して、対応する処理を実行するための各種制御信号が生成される。
【００４４】
図２はこの発明に適用できるリモコン装置４０の実施例を示す。リモコン本体４１の上面端部にはテレビ受像機１０に対する電源スイッチＰＷが設けられる。テンキー（１０キー）部４４には、この例では１２チャンネルまでワンタッチで選局できるようになっている。３桁による選局を行えるようにするため、「１０キー入力」キー５１が設けられる。そしてこの例では数字キー１０から１２までは兼用キーとなっており、因みにキー番号１２は選局を確定するための選局キーを、キー番号１１は編成チャンネル番号に枝番号が付いているときの枝番号指定用の枝番キーを示す。
【００４５】
テンキー部４４の下側にはシフトキー４６が設けられ、さらにはメニュー選択キー５０やチャンネルおよび音量調整のためのキー５２，５４などが設けられている。なお、リモコン本体４１に設けられるこれらキーの種類や、キー配列などはあくまでも一例に過ぎない。
【００４６】
さて、この発明ではテレビ受像機１０に受信できるチャンネルを設定するとき、以下に示すような編成チャンネル番号の設定処理も併せて行われる。受信チャンネル設定を含めた編成チャンネル番号の設定処理について図３以下を参照して説明する。
【００４７】
前述したように、地上デジタル放送を受信するためには、まず選局チャンネルの設定処理が行われる。そのため、メニューより設定処理モードが選択されると、まず地上デジタル放送信号を自動受信処理（受信周波数の自動スキャン処理）が行われる。そして、受信した放送局の地上デジタル放送信号に挿入されたリモートコントロールキー識別信号（リモコンキーＩＤ）を抽出分離する。その後で、リモコンキーＩＤの内容を解読して、このリモコンキーＩＤに割り当てられたワンタッチキー番号の自動割り振り処理が行われる。東京都の場合、この域内放送局におけるリモコンキーＩＤとワンタッチキー番号との関係は図３に示すようになることは前述した。
【００４８】
このワンタッチキー番号の割り振り処理と同時に、編成チャンネル番号の識別情報付加処理が行われる。そのため、東京都の域外に、域内の放送局に割り当てられたリモコンキーＩＤと同一の放送局が存在するかどうかが判別される。
【００４９】
例えば、テレビ受像機１０を設置しようとしている地域が、図３のように東京都以外の域外放送として３つの放送局を受信できる場合、域外放送局の全てが同一のリモコンキーＩＤ「３」を持つ。
【００５０】
このように同一のリモコンキーＩＤが存在したときで、しかも同一のリモコンキーＩＤが域外であるときには、その放送局の地域識別番号順に識別情報を自動的に割り振る。編成チャンネル番号は３桁の番号で構成されているので、付加する識別情報としては枝番号が好適である。その場合、４桁目に枝番号を連続して付す。
【００５１】
その結果、図３に示すように地域識別番号の一番若い放送局である「テレビ神奈川」には、その枝番号として「１」が自動的に割り振られる。次が「千葉テレビ放送」であるので、その枝番号は「２」となり、そして最後の「テレビ埼玉」の枝番号が「３」となる。したがって、新しい編成チャンネル番号は、図３のように枝番号の付いた編成チャンネル番号となる。「テレビ神奈川」を選局したいときで、ダイレクト選局を選んだときには、その編成チャンネル番号は４桁の番号「０３１１」を指定することになる。ここに、下付け番号は枝番号を指す。
【００５２】
同一のリモコンキーＩＤが同じ域内と域外に跨って存在することもある。例えば三重県の場合には図４に示すように、域内放送局と域外放送局との間でリモコンキーＩＤが重複する。さらに図４の例では域外放送局同士でもリモコンキーＩＤが重複する。
【００５３】
このような場合には、域内放送局の編成チャンネル番号は枝番号として「０」を宛い、域外放送局については地域識別番号順に「１」から枝番号を付す処理を行う。枝番号「０」は省略することができるため、例えば枝番号「０」を省略して枝番号を割り振ると、三重県の例は図４のような編成チャンネル番号となる。したがって、例えば「中京テレビ放送」をダイレクト選局するときには編成チャンネル番号「０４１」を指定することになるが、域外放送局である「毎日放送」をダイレクト選局するときには、編成チャンネル番号として４桁の番号「０４１１」を指定することになる。
【００５４】
このように枝番号は、域内に「０」を確保し、域外に対しては「１」から割り当てていく。域外に同じリモコンキーＩＤが複数存在し、域内に同じ番号がなくても、枝番号は域外の同一リモコンキーＩＤに対して「１」から割り当てる。これは、放送開始当初域内の放送局が開局してなく、あとで開局したとき域内の放送局の枝番号として「０」を割り当てる必要があるためである。
【００５５】
一番小さい枝番号は、表示、入力とも省略できる。東京の場合、「テレビ神奈川」が一番小さい枝番号であるので省略できるので、この場合には図５のように「０３１」となる。「千葉テレビ放送」は、「０３１２」、「テレビ埼玉」は「０３１３」と表示される。将来、東京の域内にリモコンキーＩＤが「３」の放送局が開局した場合には、「テレビ神奈川」は「０３１１」、と枝番号「１」が必要になる。「千葉テレビ放送」と「テレビ埼玉」は、同じ枝番号のまま変化しない（ワンタッチキー番号は変わる）。
【００５６】
また、三重県の例のように域内と域外に跨る放送局の他に、域外にも同一のリモコンキーＩＤを使用した放送局が存在するときには、域外放送局のみに枝番号「１」が付される。また一番小さい枝番号は省略できるので、三重県の場合には図６のように、「讀賣テレビ放送」の編成チャンネル番号が「１０１」となり、「テレビ愛知」の編成チャンネル番号が「１０１２」となる。
【００５７】
したがって、この発明による編成チャンネル設定方法によれば、同一のリモコンキーＩＤが複数存在するときには、対応する編成チャンネル番号に識別情報を付加し、ダイレクト選局をする場合には、この枝番号を含めた編成チャンネル番号を指定するだけで、希望する放送局を選局できる。
【００５８】
続いて、図７のフローチャートを参照してこの発明に係る地上デジタル放送の編成チャンネル設定方法について説明する。この処理はメニューのセットアップ時に行われるもので、その前提として地上デジタル放送波を受信できるようにＵＨＦアンテナ１２の受信方向が放送局に向かうようにセットされているものとする。
【００５９】
まず、テレビ受像機１０の電源を入れ、次いで受信地を決める地域をセットする（ステップ６２）。例えば、受信地が東京であるならば、上述したように地域を「東京」とセットする。続いて、メニュー画面を選択し、メニュー画面（セットアップ画面）より初期スキャンモード又は再スキャンモードを選択し、受信周波数をスイープさせて受信できる放送局をスキャンする（ステップ６３）。
【００６０】
ここに、初期スキャンモードはテレビジョン受像機１０を始めて設置したときに行うモードである。再スキャンモードは、従来のチャンネルリストを残して新たなチャンネルリストを取得するモードである。同じチャンネルがあれば前回のチャンネルリストを上書きする。
【００６１】
このスキャンモードを選択することによって、各放送局のリモコンキーＩＤを取得し、取得したリモコンキーＩＤからワンタッチキー番号を自動的に割り振る処理を行い、割り振られたワンタッチキー番号をメモリ手段３４に格納する。このスキャンモードは何度でも行うことができ、地上デジタル放送を受信する地域が変わったようなとき再スキャンを行い、その地域に合った受信放送局に関するワンタッチキー番号の設定処理を行うことになる。
【００６２】
このワンタッチキー番号の設定処理に続けて、次には受信周波数をスキャン（掃引）した結果、同一のリモコンキーＩＤを有する放送局が存在するかどうかを解析する（ステップ６４）。解析の結果、同一のリモコンキーＩＤを有する放送局が存在しなかったときには、編成チャンネル番号に対する枝番号の付加処理はなされない（ステップ６５）。
【００６３】
これに対し、同一のリモコンキーＩＤを有する放送局が存在したときで、その放送局が全て域外の放送局であるときには、この例では域外の放送局に付される地域識別番号順に、同一のリモコンキーＩＤを有する放送局の編成チャンネル番号の枝番号を「１」から付加する処理を行う（ステップ６７）。枝番号を付した編成チャンネル番号を新たな編成チャンネル番号としてメモリ手段３４に保存する。
【００６４】
同一のリモコンキーＩＤを有する放送局が域内と域外に跨って存在するときには、域内の放送局に対してはその編成チャンネル番号に対し「０」の枝番号を付り、域外の放送局に対しては地域識別番号を基準にして「１」から順に割り当てる処理を行う（ステップ６８）。割り当てられた枝番号を有する編成チャンネル番号を当該放送局に対する新たな編成チャンネル番号としてメモリ手段３４に保存する。
【００６５】
これらの編成チャンネル番号の識別情報付加処理が全て終了すると、ダイレクト選局を含めたチャンネルリストが映像表示部３０に表示される（ステップ６９）。チャンネルリストの表示例を図８に示す。図８は東京都の例であって、この例では受信できる放送事業者名と、そのワンタッチキー番号及びダイレクト選局番号、つまり枝番号付き編成チャンネル番号の夫々が表示される。図８の「テレビ神奈川」の枝番号は一番小さいので省略されて、「０３１」となる。図９は三重県におけるチャンネルリスト例である。このようなチャンネルリストを表示することで、ダイレクト選局するとき、ユーザは希望する放送局（地上デジタル放送）を確実に指定することができる。チャンネルリストはメニューリストより再表示することができる。
【００６６】
続いて、図１０以降を参照してこの発明に係る地上デジタル放送の選局方法を説明する。上述したように受信放送地域内に同一のリモコンキーＩＤを有する放送局が存在するときには、図８あるいは図９に示すように枝番号が付された編成チャンネル番号をダイレクト選局番号として使用する。
【００６７】
そして、リモコン装置４０に設けられたテンキーのうち、例えばテンキー番号「１１」を枝番号を指定するテンキー番号と兼用する。テンキー番号「１２」は前述したように選局キー（選局確定キー）のためのテンキー番号と兼用する。このような兼用キーを有するリモコン装置４０を使用して放送局をダイレクト選局する例を図１０に示す。
【００６８】
例えば編成チャンネル番号「１２３１」を指定するときには、図１０に示すように、「１０キー入力」キーを押したあと、テンキー番号を利用して「１」、「２」、「３」を順次押し、次ぎに枝番号指定のためテンキー番号「１１」を押す。この操作によって表示モニタには「地１２３＿」のように表示されて、枝番号の入力指示がなされる。ここに、映像表示部３０に表示された「地」とは地上デジタル放送（放送局）のことである。
【００６９】
これに続けてテンキー番号「１」を押してテンキー番号「１２」を入力することで、ダイレクト選局の入力が完了し、編成チャンネル番号「１２３１」に対応する放送局が選局されることになる。例えば、編成チャンネル番号「０３１１」を入力することで、「テレビ神奈川」を選局でき、また枝番号のみを変え、例えば編成チャンネル番号「０３１３」を入力することで、「テレビ埼玉」をダイレクト選局できる。
【００７０】
枝番号の入力をミスしたときには、例えば図１１のように枝番号「１」に続けて「２」を押して選局キー「１２」を押せば、編成チャンネル番号は「１２３１」から「１２３２」に変わるので、入力ミスの修正が容易になる。つまり選局キー「１２」が押されるまでは枝番号の修正が可能になる。もちろん、枝番号キー「１１」が押されるまでは、図１２のように３桁の数字も修正できるから、枝番号キー「１１」や選局キー「１２」を使用することによって、修正が容易な選局方法を実現できる。
【００７１】
このようなチャンネル表示となるように、図１に示すＯＳＤ部２８ではダイレクト選局モード時の映像表示信号が生成される。
【００７２】
【発明の効果】
以上説明したように、この発明に係る地上デジタル放送における編成チャンネル設定方法によれば、同一のリモコンキーＩＤが存在するときには、その編成チャンネル番号に枝番号などの識別情報を付加するようにしたものである。これによって、同一のリモコンキーＩＤが複数存在していたとしても、希望する放送局を確実に選局できる特徴を有する。
【００７３】
また、この発明に係るテレビジョン受像機では、枝番号などの識別情報を付加した編成チャンネル番号を保存したメモリ手段を有するので、同一のリモコンキーＩＤを有する複数の放送局を受信できる地域であっても、ユーザが指定した任意の放送局を受信できる特徴を有する。
【００７４】
また、この発明に係る地上デジタル放送の選局方法によれば、同一のリモコンキーＩＤであって、同一の編成チャンネル番号をもつ放送局を選局する場合であっても、枝番号を付けた編成チャンネル番号をダイレクトに指定するだけで、希望する放送局を受信できる特徴を有する。
【図面の簡単な説明】
【図１】この発明に係るテレビジョン受像機の実施の形態を示す要部の系統図である。
【図２】図１のテレビ受像機に適用できるリモコン装置のキー配列例を示す平面図である。
【図３】ワンタッチキー番号と編成チャンネル番号との関係を示す図である（その１）。
【図４】ワンタッチキー番号と編成チャンネル番号との関係を示す図である（その２）。
【図５】ワンタッチキー番号と編成チャンネル番号との関係を示す図である（その３）。
【図６】ワンタッチキー番号と編成チャンネル番号との関係を示す図である（その４）。
【図７】この発明に係る編成チャンネル設定方法の実施の形態を示すフローチャートである。
【図８】編成チャンネル設定後の表示例を示す図である（その１）。
【図９】編成チャンネル設定後の表示例を示す図である（その２）。
【図１０】この発明に係る地上デジタル放送の選局方法の実施の形態を示す選局順を示す図である（その１）。
【図１１】この発明に係る地上デジタル放送の選局方法の実施の形態を示す選局順を示す図である（その２）。
【図１２】この発明に係る地上デジタル放送の選局方法の実施の形態を示す選局順を示す図である（その３）。
【図１３】従来の選局順を示す図である（その１）。
【図１４】従来の選局順を示す図である（その２）。
【図１５】従来の選局順を示す図である（その３）。
【図１６】地上デジタル放送のワンタッチキー番号と編成チャンネル番号との関係を示す図である（その１）。
【図１７】地上デジタル放送のワンタッチキー番号と編成チャンネル番号との関係を示す図である（その２）。
【符号の説明】
１０・・・テレビ受像機、１４・・・チューナ、１６・・・信号処理部、１８・・・ＯＦＤＭ復調部、２２・・・多重分離部、２４・・・デコーダ、２８・・・ＯＳＤ部、３０・・・映像表示部、３２・・・制御部、３４・・・メモリ手段、３８・・・リモコン受信部
【図１】
2004363819.tif 000003
【図２】
2004363819.tif 000004
【図３】
2004363819.tif 000005
【図４】
2004363819.tif 000006
【図５】
2004363819.tif 000007
【図６】
2004363819.tif 000008
【図７】
2004363819.tif 000009
【図８】
2004363819.tif 000010
【図９】
2004363819.tif 000011
【図１０】
2004363819.tif 000012
【図１１】
2004363819.tif 000013
【図１２】
2004363819.tif 000014
【図１３】
2004363819.tif 000015
【図１４】
2004363819.tif 000016
【図１５】
2004363819.tif 000017
【図１６】
2004363819.tif 000018
【図１７】
2004363819.tif 000019